(57)【要約】  【課題】冷凍室のドア開閉が増加する夏場においても、製氷室の能力を確保でき、さらに野菜室を高湿度に保ち、野菜室に貯蔵する食品の保鮮性を向上する冷蔵庫を提供することを目的とする。  【解決手段】第１の冷却器１７で冷蔵室２及び製氷室４及び切替室を冷却し、第２の冷却器２２で第２の冷凍室を冷却し、製氷室４からの熱伝達により間接的に野菜室６内を冷却するようにしたことにより、夏場に冷凍室５のドア開閉が増え第２の冷凍室に暖湿気が流入しても製氷室４を冷却する第１の冷却器１７は影響を受けず製氷室４の能力を確保することができる。さらに野菜室６に直接冷気を循環させることなく、製氷室４からの熱伝達により間接的に野菜室６内を冷却するため、野菜室６内を高湿度に保つことができ、野菜室６内に貯蔵する野菜等の食品の保鮮性を向上させることができる。【選択図】図２
2006003000.tif 000002
【特許請求の範囲】
【請求項１】
冷蔵庫本体と、この本体の上部に冷蔵食品等を貯蔵する冷蔵室と、前記冷蔵室の下部に設けられた切替室と、前記冷蔵室の下部で前記切替室に並列配置された製氷及び氷の貯蔵を行う製氷室と、前記冷蔵庫本体下部に設けられた第２の冷凍室と、並列配置された前記製氷室及び前記切替室と前記第２の冷凍室の間に設けられた、野菜類を貯蔵する野菜室と、前記冷蔵室背面に設置した第１の冷却器と、前記第１の冷却器によって冷却された冷気を前記冷蔵室に導くための冷蔵室吐出風路及び前記冷蔵室を冷却した冷気を前記第１の冷却器に戻すための冷蔵室戻り風路と、前記第１の冷却器によって冷却された冷気を前記製氷室に導くための製氷室吐出風路及び前記製氷室を冷却した冷気を前記第１の冷却器に戻すための製氷室戻り風路と、前記第１の冷却器によって冷却された冷気を前記切替室に導くための切替室吐出風路及び前記切替室を冷却した冷気を前記第１の冷却器に戻すための切替室戻り風路と、前記第２の冷凍室の奥に設置した第２の冷却器と、前記第２の冷却器によって冷却された冷気を前記第２の冷凍室へ導く第２の冷凍室吐出風路及び前記第２の冷凍室を冷却した冷気を前記第２の冷却器に戻すための第２の冷凍室戻り風路を備え、前記野菜室を間接的に冷却するよう前記製氷室戻り風路を配置したことを特徴とする冷蔵庫。
【請求項２】
前記製氷室戻り風路の前記野菜室上部は良熱伝導性の冷却プレートで構成したことを特徴とする請求項１記載の冷蔵庫。
【請求項３】
前記製氷室戻り風路の前記野菜室上部は樹脂の冷却プレートで構成したことを特徴とする請求項１記載の冷蔵庫。
【請求項４】
野菜室内に容器を備え、前記製氷室戻り風路の冷気が直接前記野菜室に流入しないよう前記野菜室内の野菜室容器上部に蓋を設けたことを特徴とする請求項１記載の冷蔵庫。
【請求項５】
前記製氷室戻り風路に前記第１の冷却器によって冷却された冷気を混合する混合風路を設けたことを特徴とする請求項１から４のいずれか一項に記載の冷蔵庫。
【発明の詳細な説明】
【技術分野】
【０００１】
本発明は、複数の貯蔵室を有し複数の冷却器で各室を冷却する冷蔵庫に関するものである。
【背景技術】
【０００２】
近年、使い勝手の向上を図るため、様々なレイアウトの冷蔵庫が検討されている（例えば、特許文献１参照）。
【０００３】
図５は、特許文献１に記載された従来の冷蔵庫を示すものである。図５に示すように冷蔵庫本体１と、この本体の上部に設けられた冷蔵室２と、冷蔵室の下に設けられた切替室３と、冷蔵室の下で切替室に並列に設けられた製氷室４と、本体下部設けられた冷凍室５と、並列に設置された切替室及び製氷室と冷凍室の間に設けられた野菜室６と、冷気を生成する冷却器７と、冷気を各室に供給するファン装置８とを有し、冷凍室に冷気を供給するための冷凍室用送風路９と、製氷室に冷気を供給するための製氷用送風路１０と、製氷室から冷気を冷却器に戻す製氷室用帰還風路１１と、製氷室用送風路を通る冷気の一部を分流させて、切替室に送る切替室用送風路１２と、切替室から冷気を冷却器に戻すための切替室用帰還風路１３と、切替室用送風路を通る冷気の一部を分流させて、冷蔵室に送る冷蔵室用送風路１４と、冷蔵室に送られた冷気を野菜室に戻すための冷蔵室用帰還風路１５と、野菜室に送ら冷気を冷却器に戻すための野菜室用帰還風路１６から構成される。
【特許文献１】特許第３２１２９５４号公報
【発明の開示】
【発明が解決しようとする課題】
【０００４】
しかしながら上記従来の構成では、一つの冷却器で冷蔵庫本体全体の冷却をカバーせねばならず、特に設定温度の高い冷蔵室と野菜室に囲まれた製氷室は冷却能力の確保が困難であり、更に夏場に扉開閉が増えた場合、大量の暖湿気が冷却器に付着することにより冷却器の能力が大幅にダウンし、製氷スピードが落ちるという課題を有していた。また野菜室に直接冷気を循環させて冷却を行うため、野菜室内の湿度が低下し、野菜室内に貯蔵する野菜等の食品の保鮮性が劣化してしまうという課題を有していた。
【０００５】
本発明は、上記従来の課題を解決するもので、ドア開閉が増加する夏場においても、製氷室の能力を確保し、さらに野菜室内に貯蔵する野菜等の食品の保鮮性を向上する冷蔵庫を提供することを目的とする。
【課題を解決するための手段】
【０００６】
上記従来の課題を解決するために、本発明の冷蔵庫は、冷蔵庫本体と、この本体の上部に冷蔵食品等を貯蔵する冷蔵室と、前記冷蔵室の下部に設けられた切替室と、前記冷蔵室の下部で前記切替室に並列配置された製氷及び氷の貯蔵を行う製氷室と、前記冷蔵庫本体下部に設けられた第２の冷凍室と、並列配置された前記製氷室及び前記切替室と前記第２の冷凍室の間に設けられた、野菜類を貯蔵する野菜室と、前記冷蔵室背面に設置した第１の冷却器と、前記第１の冷却器によって冷却された冷気を前記冷蔵室に導くための冷蔵室吐出風路及び前記冷蔵室を冷却した冷気を前記第１の冷却器に戻すための冷蔵室戻り風路と、前記第１の冷却器によって冷却された冷気を前記製氷室に導くための製氷室吐出風路及び前記製氷室を冷却した冷気を前記第１の冷却器に戻すための製氷室戻り風路と、前記第１の冷却器によって冷却された冷気を前記切替室に導くための切替室吐出風路及び前記切替室を冷却した冷気を前記第１の冷却器に戻すための切替室戻り風路と、前記第２の冷凍室の奥に設置した第２の冷却器と、前記第２の冷却器によって冷却された冷気を前記第２の冷凍室へ導く第２の冷凍室吐出風路及び前記第２の冷凍室を冷却した冷気を前記第２の冷却器に戻すための第２の冷凍室戻り風路を備え、前記野菜室を間接的に冷却するよう前記製氷室戻り風路を配置したことを特徴としたものである。
【０００７】
これによって、第１の冷却器で冷蔵室及び製氷室及び切替室を冷却し、第２の冷却器で第２の冷凍室のみを冷却するようにしたことにより、夏場に冷凍室のドア開閉が増え第２の冷凍室に暖湿気が流入しても製氷室を冷却する第１の冷却器は影響を受けず製氷室の能力を確保することができる。さらに野菜室に直接冷気を循環させることなく、製氷室からの熱伝達により間接的に野菜室内を冷却することができる。
【発明の効果】
【０００８】
本発明の冷蔵庫は第１の冷却器で冷蔵室及び製氷室及び切替室を冷却し、第２の冷却器で第２の冷凍室のみを冷却するようにしたことにより、夏場に冷凍室のドア開閉が増え第２の冷凍室に暖湿気が流入しても製氷室を冷却する第１の冷却器は影響を受けず製氷室の能力を確保することができる。さらに野菜室に直接冷気を循環させることなく、製氷室からの熱伝達により間接的に野菜室内を冷却するため、野菜室内を高湿度に保つことができ、野菜室内に貯蔵する野菜等の食品の保鮮性を向上させることができる。
【発明を実施するための最良の形態】
【０００９】
請求項１に記載の発明は、冷蔵庫本体と、この本体の上部に冷蔵食品等を貯蔵する冷蔵室と、前記冷蔵室の下部に設けられた切替室と、前記冷蔵室の下部で前記切替室に並列配置された製氷及び氷の貯蔵を行う製氷室と、前記冷蔵庫本体下部に設けられた第２の冷凍室と、並列配置された前記製氷室及び前記切替室と前記第２の冷凍室の間に設けられた、野菜類を貯蔵する野菜室と、前記冷蔵室背面に設置した第１の冷却器と、前記第１の冷却器によって冷却された冷気を前記冷蔵室に導くための冷蔵室吐出風路及び前記冷蔵室を冷却した冷気を前記第１の冷却器に戻すための冷蔵室戻り風路と、前記第１の冷却器によって冷却された冷気を前記製氷室に導くための製氷室吐出風路及び前記製氷室を冷却した冷気を前記第１の冷却器に戻すための製氷室戻り風路と、前記第１の冷却器によって冷却された冷気を前記切替室に導くための切替室吐出風路及び前記切替室を冷却した冷気を前記第１の冷却器に戻すための切替室戻り風路と、前記第２の冷凍室の奥に設置した第２の冷却器と、前記第２の冷却器によって冷却された冷気を前記第２の冷凍室へ導く第２の冷凍室吐出風路及び前記第２の冷凍室を冷却した冷気を前記第２の冷却器に戻すための第２の冷凍室戻り風路を備え、前記野菜室を間接的に冷却するよう前記製氷室戻り風路を配置したことにより、夏場に冷凍室のドア開閉が増え第２の冷凍室に暖湿気が流入しても製氷室を冷却する第１の冷却器は影響を受けず製氷室の能力を確保することができる。さらに野菜室に直接冷気を循環させることなく、製氷室からの熱伝達により間接的に野菜室内を冷却するため、野菜室内を高湿度に保つことができ、野菜室内に貯蔵する野菜等の食品の保鮮性を向上させることができる。
【００１０】
請求項２に記載の発明は、請求項１記載の発明において、前記製氷室戻り風路の前記野菜室上部は良熱伝導性の冷却プレートで構成したものであり、製氷室の戻り冷気の冷熱を、野菜室上部の良熱伝導性の冷却プレートを介して効率よく野菜室内に伝えることができ、野菜室に直接冷気を循環させることなく間接的に野菜室内を冷却するため、野菜室内を高湿度に保つことができ、野菜室内に貯蔵する野菜等の食品の保鮮性を向上させることができる。
【００１１】
請求項３に記載の発明は、請求項１記載の発明において、前記製氷室戻り風路の前記野菜室上部は樹脂の冷却プレートで構成したものであり、製氷室の戻り冷気の冷熱を、野菜室上部の安価な樹脂の冷却プレートを介して野菜室内に伝えることができ、野菜室に直接冷気を循環させることなく間接的に野菜室内を冷却するため、野菜室内を高湿度に保つことができ、低コストで野菜室内に貯蔵する野菜等の食品の保鮮性を向上させることができる。
【００１２】
請求項４に記載の発明は、請求項１記載の発明において、野菜室内に容器を備え、前記製氷室戻り風路の冷気が直接前記野菜室に流入しないよう前記野菜室内の野菜室容器上部に蓋を設けたものであり、前記製氷室戻り風路の冷気を前記野菜室内に直接流入させることができ、保鮮性を確保しつつより効率よく野菜室容器を冷却することができる。
【００１３】
請求項５に記載の発明は、請求項１から４のいずれか一項に記載の発明において、前記製氷室戻り風路に前記第１の冷却器によって冷却された冷気を混合する混合風路を設けたものであり、前記製氷室戻り風路の冷気の温度の適正化が可能になり、より効率よく前記野菜室を冷却することができる。
【００１４】
以下、本発明の実施の形態について、図面を参照しながら説明する。なお、この実施の形態によってこの発明が限定されるものではない。
【００１５】
（実施の形態１）
本発明による実施の形態１について、図面を参照しながら説明する。図１は本発明の実施の形態１による冷蔵庫の風路正面図、図２は本発明の実施の形態１による冷蔵庫の断面図である。
【００１６】
図１、２において冷蔵庫本体１は、最上部に冷蔵室２と、冷蔵室２との下方に切替室３と、並列配置された製氷及び氷の貯蔵を行う製氷室４と、本体下部に設けられた冷凍室５と、並列配置した製氷室４及び切替室３と冷凍室５の間に設けられた、野菜類を貯蔵する野菜室６を有する。第１の仕切り壁２６は冷蔵室２と製氷室４及び切替室３を仕切っている。第２の仕切り壁２７は製氷室４及び切替室３と野菜室６を仕切っている。第３の仕切り壁２８は野菜室６と冷凍室５を仕切っている。第１の冷却器１７は冷蔵室背面に設置される。冷蔵室冷却用ダクト１８は、第１の冷却器１７によって冷却された冷気を冷蔵室２に導くための冷蔵室用吐出風路１８ａと冷蔵室２を冷却した冷気を第１の冷却器１７に戻すための冷蔵室用戻り風路１８ｂを有している。製氷室冷却用ダクト１９は、第１の冷却器１７によって冷却された冷気を製氷室４に導くための製氷室用吐出風路１９ａと製氷室４を冷却した冷気を第１の冷却器１７に戻すための製氷室用戻り風路１９ｂを有している。切換室冷却用ダクト２０は、第１の冷却器１７によって冷却された冷気を切替室３に導くための切替室用吐出風路２０ａと切替室３を冷却した冷気を第１の冷却器１７に戻すための切替室用戻り風路２０ｂを有している。冷蔵室用冷却ファン２１は、第１の冷却器１７で発生した冷気を循環させる。第２の冷却器２２は、冷凍室５の奥に設置される。冷凍室用ダクト２３は、第２の冷却器２２で冷却された冷気を冷凍室５へ導く冷凍室吐出風路２３ａと冷凍室５を冷却した冷気を第２の冷却器２２に戻すための冷凍室用戻り風路２３ｂを有している。冷凍室用冷却ファン２４は、第２の冷却器２２で発生した冷気を循環させる。冷却プレート２５は例えば熱伝導性の良いアルミ等を材質とした金属板で、片面を前記製氷室用戻り風路１９ｂに接して野菜室６の上部に設置されている。
【００１７】
以上のように構成された冷蔵庫について、以下その動作、作用について説明する。第１の冷却器１７によって冷却される冷気を直接循環させることによって冷蔵室２と製氷室４及び切替室３を冷却し、第２の冷却器２０によって冷却される冷気を直接循環させることによって冷凍室５のみを冷却し、さらに製氷室用戻り風路１９ｂから冷却プレート２５を介する熱伝達により野菜室６を間接的に冷却することにより、夏場冷凍室５のドア開閉が増え冷凍室５に暖湿気が流入しても製氷室４を冷却する第１の冷却器１７は影響を受けず製氷室４の能力を確保することができる。さらに野菜室６に直接冷気を循環させることなく、製氷室用戻り風路１９ｂからアルミを材質とした冷却プレート２６を介する熱伝達により効率よく野菜室６を間接的に冷却することにより、野菜室６内を高湿度に保つことができ、野菜室６内に貯蔵する野菜等の食品の保鮮性を向上させることができる。
【００１８】
また、本実施の形態のアルミを材質とした冷却プレート２５に換えて樹脂製の冷却プレートとしてもよい。この場合、樹脂製の冷却プレートとすることで低コストで野菜室６内に貯蔵する野菜等６の食品の保鮮性を向上させることができる。
【００１９】
（実施の形態２）
本発明による実施の形態２について、図面を参照しながら説明する。なお、実施の形態１と同一構成及び作用については、同一符号を付して詳細な説明を省略する。図３は本発明の実施の形態２による冷蔵庫の断面図である。
【００２０】
図３において、製氷室用戻り風路１９ｂからの冷気は野菜室６内に供給されるよう構成されている。また、野菜室６内には野菜室容器２９を有し、野菜室容器２９の上部には蓋３０が設けられている。
【００２１】
以上のように構成された冷蔵庫について、以下その動作、作用について説明する。製氷室用戻り風路１９ｂから野菜室６内に供給された冷気は、野菜室容器２９の上部に蓋３０が設けられたことにより冷気が直接前記野菜容器２９内に流入せず野菜室容器２９の周りを冷却するため野菜室容器２９内を高湿度に保つことができ、保鮮性を確保しつつより効率よく野菜室容器２９を冷却することができる。
【００２２】
（実施の形態３）
本発明による実施の形態３について、図面を参照しながら説明する。なお、実施の形態１と同一構成及び作用については、同一符号を付して詳細な説明を省略する。図４は本発明の実施の形態３による冷蔵庫の風路図である。
【００２３】
図４において、製氷室用戻り風路１９ｂに第１の冷却器１７からの冷気を混合させる混合風路１９ｃが設けられている。
【００２４】
以上のように構成された冷蔵庫について、以下その動作、作用について説明する。製氷室用戻り風路１９ｂに前記混合風路１９ｃにより第１の冷却器１７によって冷却された冷気を混合させたことによって、前記製氷室用戻り風路１９ｂの冷気温度の低温化による適正化により、より効率よく前記野菜室を冷却することができる。
【産業上の利用可能性】
【００２５】
以上のように、本発明にかかる冷蔵庫は、第１の冷却器で冷蔵室及び製氷室及び切替室を冷却し、第２の冷却器で第２の冷凍室のみを冷却するようにしたことにより、夏場に冷凍室のドア開閉が増え第２の冷凍室に暖湿気が流入しても製氷室を冷却する第１の冷却器は影響を受けず製氷室の能力を確保することができる。さらに野菜室に直接冷気を循環させることなく、製氷室からの熱伝達により間接的に野菜室内を冷却するため、野菜室内を高湿度に保つことができ、野菜室内に貯蔵する野菜等の食品の保鮮性を向上させることが可能となるので、冷凍機器全般の冷却方法の用途にも適用できる。
【図面の簡単な説明】
【００２６】
【図１】本発明による冷蔵庫の実施の形態１及び実施の形態２を説明する風路正面図
【図２】本発明による冷蔵庫の実施の形態１を説明する冷蔵庫断面図
【図３】本発明による冷蔵庫の実施の形態２を説明する冷蔵庫断面図
【図４】本発明による冷蔵庫の実施の形態３を説明する冷蔵庫風路正面図
【図５】従来の冷蔵庫の冷蔵庫風路正面図
【符号の説明】
【００２７】
１    冷蔵庫本体
２    冷蔵室
３    切替室
４    製氷室
５    冷凍室
６    野菜室
１７  第１の冷却器
１８  冷蔵室用ダクト
１８ａ  冷蔵室用吐出風路
１８ｂ  冷蔵室用戻り風路
１９ａ  製氷室用吐出風路
１９ｂ  製氷室用戻り風路
１９ｃ  混合風路
２０ａ  切替室用吐出風路
２０ｂ  切替室用戻り風路
２２  第２の冷却器
２３ａ  冷凍室用吐出風路
２３ｂ  冷凍室用戻り風路
２５  冷却プレート
２９  野菜室容器
３０  蓋
【図１】
2006003000.tif 000003
【図２】
2006003000.tif 000004
【図３】
2006003000.tif 000005
【図４】
2006003000.tif 000006
【図５】
2006003000.tif 000007